(57)【要約】【課題】  特に立体マスクにおいて、マスク本体を着用者の頬から顎の動きに追従させることによって、密着性を向上させ、頬から顎にかけての輪郭に沿うことによって、着用者との一体感と、シャープな見た目を有するマスクを提供する。【解決手段】  立体マスク本体が、着用者の口元及び鼻孔を覆う覆い部２と、前記覆い部２の左右両側に形成された外延部と３、前記外延部３にそれぞれ形成された耳掛け部４によって構成され、前記覆い部２と前記外延部３の境界線５が、顎側中央近傍から頬側に向かって左右に広がるように形成される。また、前記外延部３は前記覆い部２より剛性が低く構成される。【選択図】図２
2015051135.tif 000002
【特許請求の範囲】
【請求項１】
着用者の口元及び鼻孔を覆う覆い部と、前記覆い部の左右両側に形成された外延部と、前記外延部にそれぞれ形成された耳掛け部と、を備え、
前記覆い部と前記外延部の境界線が、顎側中央近傍から頬側に向かって左右に広がることを特徴とするマスク。
【請求項２】
前記外延部は前記覆い部より剛性が低くなることを特徴とする請求項１に記載のマスク。
【請求項３】
前記境界線を溶着したことを特徴とする請求項１又は２に記載のマスク。
【請求項４】
前記溶着は直線であることを特徴とする請求項３に記載のマスク。
【請求項５】
着用者の口元及び鼻孔を覆う覆い部と、前記覆い部の左右両側に形成された外延部と、前記外延部にそれぞれ形成された耳掛け部と、を備え、
前記覆い部に形成した中央接合部で折り畳んだ状態において、前記外延部の下辺の延長線と、前記覆い部と前記外延部の境界線の成す角度が鋭角であることを特徴とするマスク。
【請求項６】
前記外延部と耳掛け部は一体で構成されたことを特徴とする請求項１から５のいずれかに記載のマスク。
【請求項７】
前記外延部を折り返し、マスク本体を略矩形状にして包装することができる請求項１から６のいずれかに記載のマスク。
【発明の詳細な説明】
【技術分野】
【０００１】
本発明は、医療用、防塵用、防花粉用等に使用されるマスクに関するものである。
【背景技術】
【０００２】
従来から、医療用、防塵用、防花粉用等に使用されるマスクとして、着用者の口元及び鼻孔を覆うマスク本体がカップ状を成す立体マスクが提案されている。この立体マスクは着用時に立体状となる覆い部と、覆い部の左右両側に耳掛け部を溶着して構成されている。
【先行技術文献】
【特許文献】
【０００３】
【特許文献１】実用新案登録第３１５９９７７号公報
【０００４】
特許文献１に記載のマスクは、いわゆる立体マスクであって、覆い部の左右両側に延在部を設け、その延在部に耳掛け紐を取り付けて構成されている。延在部は薄手の一枚の不織布で構成されることが望ましいとされ、着用時、使用者の耳に耳掛け部を掛けた際、その延在部の弾性力によって強張りが緩和され、マスクと着用者の頬との間のすき間を無くし、良好な装着感を得られるように構成されたものである。
【発明の概要】
【発明が解決しようとする課題】
【０００５】
しかしながら、特許文献１の形態では、延在部の弾性力によって、マスクと着用者の頬との間のすき間を無くしたものの、顎の動きに対しての追従性が不十分であり、会話時、着用者が顎を動かすと、マスク本体が鼻側に上がってずれるという問題があった。また、装着時の形状として、延在部の境界に設けられた溶着部によって囲まれた部分が略矩形として表れ、頬から顎の輪郭に沿うものではなく、着用者との一体感に欠ける態様であった。
【０００６】
本発明は、このような点に鑑みなされたもので、特に立体マスクにおいて、着用者の顎の動きに追従し、密着性を向上させたマスクを提供することを目的とする。また、着用者の頬から顎の輪郭に沿い、着用者との一体感を有するマスクを提供することを目的とする。
【課題を解決するための手段】
【０００７】
本発明の請求項１の発明にあっては、着用者の口元及び鼻孔を覆う覆い部と、前記覆い部の左右両側に形成された外延部と、前記外延部にそれぞれ形成された耳掛け部と、を備え、前記覆い部と前記外延部の境界線が、顎側中央近傍から頬側に向かって左右に広がることを特徴とする。
【０００８】
また、請求項２の発明にあっては、請求項１の発明において、前記外延部は前記覆い部より剛性が低くなることを特徴とする。
【０００９】
また、請求項３の発明にあっては、請求項１又は２の発明において、前記境界線を溶着したことを特徴とする。
【００１０】
また、請求項４の発明にあっては、請求項３の発明において、前記溶着は直線であることを特徴とする。
【００１１】
また、請求項５の発明にあっては、着用者の口元及び鼻孔を覆う覆い部と、前記覆い部の左右両側に形成された外延部と、前記外延部にそれぞれ形成された耳掛け部と、を備え、
前記覆い部に形成した中央接合部で折り畳んだ状態において、前記外延部の下辺の延長線と、前記覆い部と前記外延部の境界線の成す角度が鋭角であることを特徴とする。
【００１２】
また、請求項６の発明にあっては、請求項１から５のいずれかの発明において、前記外延部と前記耳掛け部を一体にして構成されたことを特徴とする。
【００１３】
また、請求項７の発明にあっては、請求項１から６のいずれかの発明において、前記外延部を折り返し、マスク本体を略矩形状にして包装することができることを特徴とする。
【発明の効果】
【００１４】
上述した本発明によれば、マスク使用時において、前記境界線がマスク本体中央に略Ｖ字状のラインとなって表れ、着用者の頬から顎にかけての輪郭に沿うため、着用者とマスクとの一体感や、シャープな見た目を得られる。また、頬から顎にかけて剛性の高い前記覆い部の左右両側に剛性の低い前記外延部が存在するよう構成されるため、その弾性力によって顎の動きに柔軟に追従させることができ、密着感が得られる。
【図面の簡単な説明】
【００１５】
【図１】本発明の実施形態を示すマスクの斜視図である。
【図２】本発明の実施形態を示すマスクの正面図である。
【図３】本発明の実施形態のマスクを中央接合部で折り畳んだ状態の側面図である。
【図４】本発明の実施形態のマスクの積層構造を説明するための図であり、（ａ）はマスクの正面図、（ｂ）は（ａ）図のＡ−Ａ線拡大断面図である。
【図５】本発明の実施形態のマスクの装着状態を示す正面方向からの斜視図である。
【図６】本発明の実施形態のマスクの装着状態を示す側面図である。
【図７】本発明の実施形態のマスクの装着状態を説明するための概念図である。
【図８】本発明の実施形態のマスクの包装時の折り畳み手順を示す説明図である。
【図９】（ａ）〜（ｃ）は本発明の別の実施形態を示すマスクであり、それぞれ左図が正面図、右図が中央接合部で折り畳んだ状態の側面図である。
【図１０】（ｄ）〜（ｅ）は本発明の別の実施形態を示すマスクであり、それぞれ左図が正面図、右図が中央接合部で折り畳んだ状態の側面図である。
【発明を実施するための最良の形態】
【００１６】
以下、本発明の実施形態につき、添付図面を参考にして説明する。
【００１７】
図１に示すように１はマスク本体であり、着用者の口元や鼻孔周辺を覆うことが可能な形状と大きさを有する覆い部２と、前記覆い部２の左右両側に形成された外延部３と前記外延部３にそれぞれ形成された耳掛け部４からなる。
【００１８】
図２に示すようにマスク本体１は、前記覆い部２と前記外延部３の境界線５が、顎側中央近傍から、頬側に向かって略Ｖ字状に左右に広がるように形成されている。
【００１９】
顎側中央近傍の位置としては、後述の中央接合部６の長さ方向中間より下側か、前記外延部３の下辺の辺長方向中間より内側の範囲内であることが望ましい。
【００２０】
また、図３に示すように、前記境界線５は、折り畳んだ状態において、前記外延部３の下辺の延長線と、前記覆い部２と前記外延部３の境界線５の成す角度θが鋭角となるように形成される。具体的な角度θについては、４５度以下に構成されることが望ましい。外延部３の下辺は、ここでは直線状になっているが、これに限定されるものではない。
【００２１】
図２に示すように前記覆い部２は、着用者の左顔面を覆うシート片状の左側シート部２ａと、着用者の右顔面を覆うシート片状の右側シート部２ｂからなっており、上辺中央部が凸湾曲状に形成されている。図３に示すように前記左側シート部２ａと前記右側シート部２ｂが中央接合部６において溶着されることによって、マスクを拡開した状態において、前記中央接合部６が前方に突出した立体形状となる。
【００２２】
また、前記覆い部２には、前記境界線５より内側に直線状の外延部３との溶着部７が形成されている。前記覆い部２と前記外延部３を別部材で構成した場合には、前記溶着部７によって一体に構成することができる。また、直線状の溶着にすれば、容易に溶着することができる。
【００２３】
図４に示すように、覆い部２は表面層２ｃ及び裏面層２ｄを備え、中間に捕集層２ｅを積層することで構成される。また、前記外延部３は前記表面層２ｃと前記裏面層２ｄの延長部分の２層を重ね合わせて溶着して構成される。
【００２４】
各層は、ポロプロピレン、ポリエチレン等の熱可塑性合成樹脂の不織布で構成されており、各層の目的に応じてスパンボンド、メルトブロー等の各種製法の不織布が使用される。本実施の形態では、前記表面層２ｃにはポリプロピレン、目付け４０ｇ／ｍ２、スパンボンド製法の不織布が用いられ、前記裏面層２ｄにはポリプロピレン、目付け２０ｇ／ｍ２、メルトブロー製法の不織布が用いられ、前記捕集層２ｅにはポリプロピレン、目付け２０ｇ／ｍ２、メルトブロー製法の不織布が用いられる。
【００２５】
ここで、前記外延部３は前記覆い部２より剛性が低くなるよう構成される。前記覆い部２と前記外延部３の構成は、積層数の差異によって剛性が異なる構成であっても良いし、繊維密度の差異によって剛性が異なる構成であっても良い。ここでは、積層数の差異によって剛性を変化させているが、これに限定されるものではない。また、前記覆い部２と前記外延部３はそれぞれ別体の構造であっても良いし、一体の構造であっても良い。
【００２６】
前記外延部３には、外側縁部が内側に湾曲することにより２つの突縁部３ａ、３ｂが形成されている。この突縁部３ａ、３ｂには、耳掛け部４の両端部４ａ、４ｂが前記境界線５と略平行な線Ｌ上に位置するように、熱溶着により固着されている。なお、耳掛け部４は、本実施の形態ではゴム材を使用している。
【００２７】
前記耳掛け部４は、外延部３と一体構造であっても良い。一体構造の例としては、不織布からなる外延部に耳掛け穴を設けて耳掛け部とすることができる。一体にすることで部品点数を少なくさせることができる。
【００２８】
次に、本発明のマスクの使用について、図５、６、７を参考にして説明する。
【００２９】
まず、マスク本体１を、前記中央接合部６を中心にして左右方向に拡開すると、前記中央接合部６が前方に突出した立体状のマスクとなる。図５に示すように前記外延部３に設けられた前記耳掛け部４を着用者の耳部に掛け渡して装着する。
【００３０】
このとき、前記外延部３は２層の不織布によって構成されているため、前記覆い部２より剛性が低く、弾性力を有する。それにより、着用者の耳部における前記耳掛け部４の引張力を緩和できる。
【００３１】
また、前記外延部３は前記覆い部２より剛性が低く、弾性力を有するため、着用者の頬の動きに柔軟に対応させることができる。
【００３２】
更に図６、図７に示すように、前記境界線５が、顎側中央近傍から、頬側に向かって左右に広がるように形成されているため、前記覆い部２と外延部３によって頬の輪郭から顎の輪郭に至るまでの全域が覆われ、顎の当接する部分までカバーできる。
【００３３】
すなわち、弾性力を有する前記外延部３が顎を包み込むように構成されることから、前記覆い部２が顎に密着し、会話をした際や咳をした際に顎が動いてもマスク本体１がずれにくい構成となっている。
【００３４】
また、前記外延部３は前記覆い部２より積層数が少ないため、通気性が高く、上記の通り頬から顎にかけて、むれにくい構成となっている。
【００３５】
前記溶着部７は、本実施形態において略Ｖ字状のラインとなって表れる。このＶ字状のラインは着用者の頬から顎にかけての輪郭に沿うことから、着用者とマスクとの一体感が得られ、シャープに見える。また、前記境界線５が前記溶着部７として明確に表れるため、頬から顎にかけてのラインがよりいっそう強調され、一体感や、シャープな見た目を増すことができる。
【００３６】
また、図８に示すように、前記外延部３を折り返し、マスク本体を略矩形状に折り畳んで包装体８に包装することができる。前記外延部３は剛性が低いため、着用の際、折り返した皺が残らずに使用することができる。
【００３７】
図９、図１０に本発明の別の実施形態を示す。
【００３８】
図９中の（ａ）では、前記境界線５が、前記中央接合部６の長さ方向中間より下側で交わるように形成される。また、前記境界線５は、折り畳んだ状態において、前記外延部３の下辺の延長線と、前記覆い部２と前記外延部３の境界線５の成す角度θが鋭角となるように形成される。
【００３９】
図９中の（ｂ）では、前記境界線５が、前記外延部３の下辺の長さ方向中間より内側で交わるように形成される。また、前記境界線５は、折り畳んだ状態において、前記外延部３の下辺の延長線と、前記覆い部２と前記外延部３の境界線５の成す角度θが鋭角となるように形成される。
【００４０】
図９中の（ｃ）では、前記境界線５が、顎側中央近傍から、頬側に向かって左右に広がるように形成されている。また、前記境界線５は、折り畳んだ状態において、前記外延部３の下辺の延長線と、前記覆い部２と前記外延部３の境界線５の成す角度θが鋭角となるように形成される。耳掛け部４は、前記外延部３と一体に形成されており、前記外延部３に孔を設けて着用者の耳に掛けるよう構成されている。
【００４１】
図１０中の（ｄ）では、前記境界線５が、顎側中央近傍から、頬側に向かって左右に広がるように形成されており、略菱形状に形成されている。また、前記境界線５は、折り畳んだ状態において、前記外延部３の下辺の延長線と、前記覆い部２と前記外延部３の境界線５の成す角度θが鋭角となるように形成される。
【００４２】
図１０中の（ｅ）では、前記境界線５が、顎側中央近傍から、頬側に向かって左右に広がるように形成されており、略ハート形状に形成されている。また、前記境界線５は、折り畳んだ状態において、前記外延部３の下辺の延長線と、前記覆い部２と前記外延部３の境界線５の成す角度θが鋭角となるように形成される。
【００４３】
図１０中の（ｆ）では、前記境界線５が、顎側中央近傍から、頬側に向かって左右に広がるように形成されている。また、前記境界線５は、折り畳んだ状態において、前記外延部３の下辺の延長線と、前記覆い部２と前記外延部３の境界線５の成す角度θが鋭角となるように形成される。
【符号の説明】
【００４４】
１                        マスク本体
２                        覆い部
２ａ                      左側シート部
２ｂ                      右側シート部
２ｃ                      表面層
２ｄ                      裏面層
２ｅ                      捕集層
３                        外延部
３ａ、３ｂ                突縁部
４                        耳掛け部
５                        境界線
６                        中央接合部
７                        溶着部
８                        包装体
Ｌ                        境界線と略平行な線
【図１】
2015051135.tif 000003
【図２】
2015051135.tif 000004
【図３】
2015051135.tif 000005
【図４】
2015051135.tif 000006
【図５】
2015051135.tif 000007
【図６】
2015051135.tif 000008
【図７】
2015051135.tif 000009
【図８】
2015051135.tif 000010
【図９】
2015051135.tif 000011
【図１０】
2015051135.tif 000012